【手続補正書】
【提出日】平成17年11月14日(2005.11.14)
【手続補正１】
【補正対象書類名】特許請求の範囲
【補正対象項目名】全文
【補正方法】変更
【補正の内容】
【特許請求の範囲】
【請求項１】
紙文書を光学的に読み取って生成される文書画像データに文字認識処理を行うＯＣＲ装置であって、
文書構造解析に用いられる文書構造辞書および文字識別に用いられる文字識別辞書を記憶する記憶装置と、
上記文書画像データを入力する画像入力部と、
演算部とを有し、
上記演算部は、上記文書構造辞書を用いて上記文書画像データの枠構造解析および読取対象枠の特定を行って文書構造データを生成し、上記文字識別辞書を用いて上記特定された読取対象枠について文字認識処理を行って読取結果テキストまたは読取仮説データを生成し、上記文書画像データと対応付けて、上記文書構造データおよび上記読取仮説データの少なくともいずれかを含むＯＣＲ付加データを出力し、
該読取仮説データは文字認識処理の過程で生成される、少なくとも文字切出パタン候補および該文字切出パタンの識別結果を含むことを特徴とするＯＣＲ装置。
【請求項２】
請求項１記載のＯＣＲ装置であって、上記ＯＣＲ付加データは上記文書画像データと同一のファイルに登録されることを特徴とするＯＣＲ装置。
【請求項３】
請求項２記載のＯＣＲ装置であって、上記ファイルは複数のデータブロックと該複数のデータブロックのそれぞれに対応するタグとを含むタグ形式の画像ファイルであって、
上記ＯＣＲ付加データを格納する少なくとも１つの上記データブロックと、該データブロックに格納されたデータがＯＣＲ付加データであることを示す情報を含むタグとを有することを特徴とするＯＣＲ装置。
【請求項４】
請求項１記載のＯＣＲ装置であって、
上記演算部は、上記文書構造データに基づいて上記文書画像データ中の秘匿が必要な箇所を特定し、該秘匿が必要な箇所について上記文書画像データの各画素のカラー値を他のカラー値に変更し、該他のカラー値を表示する際に用いられる表示色と該他のカラー値との対応を作成する擬似カラー化処理を行い、
上記文書画像データを該他のカラー値を含むように更新し、
上記表示色と該他のカラー値との対応を含むカラーマップテーブルと、擬似カラー値及び閲覧許諾条件を最低限含む閲覧属性情報とを、上記文書画像データと対応付けて出力することを特徴とするＯＣＲ装置。
【請求項５】
請求項１記載のＯＣＲ装置であって、上記読取仮説データは上記文字認識処理において生成される文字列仮説を含み、該文字列仮説は文字切出しパタン候補についての情報と該文字切出しパタン候補の文字識別結果とがグラフ形式で表現されたものであることを特徴とするＯＣＲ装置。
【請求項６】
ＯＣＲ装置で行われる文書読取処理結果を入力情報として文書処理を行う文書処理装置であって、
上記文書読取処理結果の入力を受ける入力部と、上記文書読取処理結果に関する表示を行う表示部と、ユーザ入力を受け付けるユーザ入力部と、演算部とを有し、
上記文書読取処理結果は、紙文書を光学的に読み取って生成される文書画像データと、該文書画像データの枠構造を含む文書構造データおよび該文書画像データの枠のうち読取対象である枠についての文字認識処理の読取仮説データの少なくともいずれかを含むＯＣＲ付加データとを含み、
上記演算部は、上記ユーザ入力部から入力される指示に基づいて、上記ＯＣＲ付加データを用いて上記文書読取処理結果に含まれる情報を選択的に上記表示部に表示させることを特徴とする文書処理装置。
【請求項７】
請求項６記載の文書処理装置であって、
上記文書読取処理結果は上記読取仮説データを上記ＯＣＲ付加データに含み、
上記読取仮説データは、文字切出しパタン候補についての情報と該文字切出しパタン候補の文字識別結果とがグラフ形式で表現されたものであり、
上記演算部は、上記ユーザ入力部に入力される検索キーワードを用いて上記グラフ形式で表現された読取仮説データを検索し、検索結果に応じて上記読取処理結果に含まれる文書画像データを上記表示部に表示させることを特徴とする文書処理装置。
【請求項８】
請求項６記載の文書処理装置であって、
上記文書読取処理結果は上記文書構造データを上記ＯＣＲ付加データに含み、
上記文書構造データは、該文書画像データに含まれる枠のいずれが表示対象枠であるかを示す表示対象枠情報を有し、
上記演算部は、上記表示対象枠情報に応じて上記文書画像データに含まれる表示対象枠を選択的に表示させることを特徴とする文書処理装置。
【請求項９】
請求項６記載の文書処理装置であって、
上記文書読取処理結果は上記文書構造データを上記ＯＣＲ付加データに含み、
上記文書構造データは、該文書画像データに含まれる枠のいずれが表示対象枠であるかを示す表示対象枠情報を有し、
上記演算部は、上記表示対象枠情報に応じて上記文書画像データに含まれる表示対象枠を強調表示して表示させることを特徴とする文書処理装置。
【請求項１０】
請求項６記載の文書処理装置であって、
上記文書画像データの一部の領域は擬似カラー化処理が行われており、
上記ＯＣＲ付加データは、上記擬似カラー化処理が行われた領域における各画素のカラー値と表示色との対応関係を含むカラーマップテーブルを含み、
上記演算部は、上記カラーマップテーブルを参照して上記擬似カラー化処理が行われた領域の表示色をユーザからの閲覧状態の指定応じて決定し、上記表示部は上記決定された表示色を用いて上記文書画像データを表示することを特徴とする文書処理装置。
【請求項１１】
紙文書を光学的に読み取って生成される文書画像データを入力するＯＣＲ入力装置と、文書構造解析に用いられる文書構造辞書および文字識別に用いられる文字識別辞書を記憶する記憶装置と、上記文書構造解析及び文字識別を含むＯＣＲ処理を含む演算を行う演算部と、上記ＯＣＲ処理結果を登録する文書読取結果蓄積部と、表示部とを有する文書処理システムにおける文書処理のための文書処理プログラムであってであって、
上記文書構造辞書を用いて上記文書画像データの枠構造を解析するステップと、
上記解析された枠構造の情報に基づいて、上記文字識別辞書を用いて上記文書画像データの文字認識処理を行って読取結果テキスト又は読取仮説データを生成するステップと、
上記文書構造データ及び上記読取仮説データの少なくともいずれかを含むＯＣＲ付加データを、上記文書画像データと対応付けて上記文書読取結果蓄積部に蓄積部に蓄積するステップと、を実行させ、
上記読取仮説データは、文字認識処理の過程で生成される、少なくとも文字切出しパタン候補及び該文字切出しパタンの識別結果を含むことを特徴とする文書処理プログラム。
【請求項１２】
請求項１１記載の文書処理プログラムであって、上記ＯＣＲ付加データは、上記文書画像データと同一のファイルに登録されることを特徴とする文書処理プログラム。
【請求項１３】
請求項１２記載の文書処理プログラムであって、上記ファイルは複数のデータブロックと該複数のデータブロックのそれぞれに対応するタグとを含むタグ形式の画像ファイルであって、
上記ＯＣＲ付加データを格納する少なくとも１つの上記データブロックと、該データブロックに格納されたデータがＯＣＲ付加データであることを示す情報を含むタグとを有することを特徴とする文書処理プログラム。
【請求項１４】
請求項１１記載の文書処理プログラムであって、
上記文書構造データに基づいて上記文書画像データ中の秘匿が必要な箇所を特定し、該秘匿が必要な箇所について上記文書画像データの各画素のカラー値を他のカラー値に変更し、該他のカラー値を表示する際に用いられる表示色と該他のカラー値との対応を作成する擬似カラー化処理を行うステップと、
上記文書画像データを該他のカラー値を含むように更新するステップと、
上記表示色と該他のカラー値との対応を含むカラーマップテーブルと、擬似カラー値及び閲覧許諾条件を最低限含む閲覧属性情報とを上記文書画像データと対応付けて格納するステップとを実行させることを特徴とする文書処理プログラム。
【請求項１５】
請求項１４記載の文書処理プログラムであって、上記ＯＣＲ付加データは、上記擬似カラー化処理が行われた領域における各画素のカラー値と表示色との対応関係を含むカラーマップテーブルと、上記閲覧属性情報とを含み、
上記演算部に、上記閲覧属性情報を用いて閲覧者が当該領域にて許される閲覧状態を判別し、上記カラーマップテーブルを参照して上記擬似カラー化処理が行われた領域の表示色を決定し、該決定された表示色を用いて上記文書画像データを表示するステップを実行させることを特徴とする文書処理プログラム。
【請求項１６】
請求項１１記載の文書処理プログラムであって、上記読取仮説データは上記文字認識処理において生成される文字列仮説を含み、該文字列仮説は文字切出しパタン候補についての情報と該文字切出しパタン候補の文字識別結果とがグラフ形式で表現されたものであることを特徴とする文書処理プログラム。
【請求項１７】
請求項１１記載の文書処理プログラムであって、上記文書処理システムは、ユーザ入力を受け付けるユーザ入力部を有し、
上記ＯＣＲ付加データは上記読取仮説データを含み、上記ユーザ入力部に入力される検索キーワードを用いて上記読取仮説データを検索し、上記検索キーワードに適合する読取仮説データを有する文書画像データを検索結果として出力するステップを実行させることを特徴とする文書処理プログラム。
【請求項１８】
請求項１１記載の文書処理プログラムであって、
上記ＯＣＲ付加データは上記文書読取処理結果を含み、
上記文章構造データは上記文書画像データに含まれる枠のいずれが表示対象枠であるかを示す表示対象枠情報を有し、
上記演算部に、上記表示対象枠情報に応じて上記文書画像データに含まれる表示対象枠を選択的に表示するステップを実行させることを特徴とする文書処理プログラム。
【請求項１９】
請求項１１記載の文書処理プログラムであって、
上記ＯＣＲ付加データは上記文書読取処理結果を含み、
上記文章構造データは上記文書画像データに含まれる枠のいずれが表示対象枠であるかを示す表示対象枠情報を有し、上記表示対象枠情報に応じて上記文書画像データに含まれる表示対象枠を強調表示して表示するステップを実行させることを特徴とする文書処理プログラム。